(57)【要約】無線通信用端末は、マルチサービス・ネットワークのキャリア又はベストエフォート・ネットワークのキャリアに選択的に合わせるように構成された送受信機と、妨害を回避する機能を含んだプロセッサと、を備える。当該プロセッサは、送受信機をマルチサービス・ネットワークに合わせ、マルチサービス・ネットワークに登録するように構成することができる。また、プロセッサは、送受信機をベストエフォート・キャリアに合わせ、ベストエフォート・ネットワークに登録するよう構成することもできる。次にプロセッサは、妨害を回避する機能が活性化すると、マルチサービス・ネットワークから登録を解除するように構成することができる。
2004515985.tif 000002
【特許請求の範囲】
【請求項１】
ベストエフォート・ネットワークのキャリア又はマルチサービス・ネットワークのキャリアに合わせるように構成された端末を採用する無線通信の方法であって、該方法は、
前記端末を前記マルチサービス・ネットワークに登録するステップと、
前記端末を前記ベストエフォート・ネットワークに登録するステップと、
前記端末を前記ベストエフォート・キャリアに合わせるステップと、
前記端末にかかわる妨害を回避する機能を活性化するステップと、
前記妨害を回避する機能の活性化に応答して、前記端末を前記マルチサービス・ネットワークから登録解除するステップと、
からなる前記方法。
【請求項２】
請求項１記載の方法は、更に、
前記端末を登録解除する前に、前記端末を前記マルチサービス・キャリアに合わせるステップと、
前記端末から登録を解除した後、前記端末を前記ベストエフォート・キャリアに合わせるステップと、
からなる前記方法。
【請求項３】
請求項１記載の方法は更に
前記妨害を回避する機能をディスエーブルするステップと、
前記妨害を回避する機能をディスエーブルするステップに応答して前記端末を前記マルチサービス・キャリアに合わせるステップと、
前記端末を前記マルチサービス・ネットワークに再登録するステップと、
を含む前記方法。
【請求項４】
請求項３記載の方法は更に、
前記端末が前記ベストエフォート・キャリアに合わされ、前記マルチサービス・ネットワークに登録されている間に、前記端末を前記マルチサービス・キャリアに定期的に合わせ、前記マルチサービス・ネットワークからの着信通信をチェックするステップを含む前記方法。
【請求項５】
請求項１記載の方法において、前記端末を前記ベストエフォート・キャリアに合わせると、前記妨害を回避する機能を活性化するステップが自動的に行われる前記方法。
【請求項６】
請求項１記載の方法は更に、
前記端末を登録解除した後、前記ベストエフォート・ネットワーク上でデータ通信を開始するステップ、
を含む前記方法。
【請求項７】
請求項６記載の方法において、前記データ・通信がパケット・データ通信である前記方法。
【請求項８】
請求項７記載の方法において、前記パケット・データ通信がＩＰ通信上の音声を含む前記方法。
【請求項９】
請求項６記載の方法において、前記データ通信を開始すると、前記妨害を回避する機能を活性化させるステップが自動的に行われる前記方法。
【請求項１０】
ベストエフォート・ネットワークのキャリア又はマルチサービス・ネットワークのキャリアに合わせるように構成された端末を採用した無線通信の方法であって、該方法は、
前記端末を前記マルチサービス・ネットワークに登録するステップと、
前記端末を前記ベストエフォート・ネットワークに登録するステップと、
前記端末を前記ベストエフォート・キャリアに合わせるステップと、
前記端末にかかわる妨害を回避する機能を活性化するステップと、
前記妨害を回避する機能の活性化に応答して、選択された着信通信に関して前記端末を呼び出すように前記マルチサービス・ネットワークに指示するステップと、
からなる前記方法。
【請求項１１】
請求項１０記載の方法は更に、前記妨害を回避する機能を活性化する前に、前記端末を前記マルチサービス・キャリアに定期的に合わせ、前記マルチサービス・ネットワークからの着信音声およびデータ通信をチェックするステップを含む前記方法。
【請求項１２】
請求項１０記載の方法は更に、
前記マルチサービス・ネットワークに指示した後、前記端末を前記マルチサービス・キャリアに定期的に合わせ、前記マルチサービス・ネットワークからの前記選択された着信通信をチェックするステップ、
を含む前記方法。
【請求項１３】
請求項１２記載の方法は更に
前記選択された着信データ通信を前記マルチサービス・キャリアから受信するステップ、
を含む前記方法。
【請求項１４】
請求項１０記載の方法において、前記選択された着信通信は着信音声通信である前記方法。
【請求項１５】
請求項１０記載の方法において、前記選択された着信通信は着信データ通信である前記方法。
【請求項１６】
請求項１０記載の方法において、前記選択された着信通信はＳＭＳメッセージである前記方法。
【請求項１７】
請求項１０記載の方法は更に、
前記マルチサービス・ネットワークに指示する前に、前記端末を前記マルチサービス・キャリアに合わせるステップと、
前記マルチサービス・ネットワークに指示した後に、前記端末を再び前記ベストエフォート・キャリアに合わせるステップと、
を含む前記方法。
【請求項１８】
請求項１０記載の方法は更に、
前記妨害を回避する機能をディスエーブルするステップと、
前記妨害を回避する機能をディスエーブルするステップに応答して前記端末を前記マルチサービス・キャリアに合わせるステップと、
全ての着信通信に関して前記端末を呼び出すように前記マルチサービス・ネットワークに指示するステップと、
を含む前記方法。
【請求項１９】
請求項１０記載の方法において、前記端末を前記ベストエフォート・キャリアに合わせると、前記妨害を回避する機能を活性化するステップが自動的に行われる前記方法。
【請求項２０】
請求項１０記載の方法は更に、前記ベストエフォート・キャリア上でデータ通信を開始するステップを含み、前記データ通信を開始すると、前記妨害を回避する機能を活性化するステップが自動的に行われる前記方法。
【請求項２１】
請求項２０記載の方法において、前記データ通信がパケット・データ通信である前記方法。
【請求項２２】
請求項２１記載の方法において、前記パケット・データ通信がＩＰ通信上の音声を含む前記方法。
【請求項２３】
請求項１０記載の方法は更に、前記妨害を回避する機能が活性化される間に、非選択着信通信を音声メール・アカウントに転送するように前記マルチサービス・ネットワークに指示するステップを含む前記方法。
【請求項２４】
請求項１０記載の方法は更に、前記端末に宛てた非選択着信通信が前記マルチサービス・ネットワークによって受信され、前記妨害を回避する機能が活性化されると、「応答しない端末」のメッセージを戻すように前記マルチサービス・ネットワークに対し指示するステップを含む前記方法。
【請求項２５】
無線通信用端末であって、
活性化および非活性化するように構成された妨害を回避する機能と、
マルチサービス・ネットワークのキャリアまたはベストエフォート・ネットワークのキャリアに選択的に合わせるように構成された送受信機と、
プロセッサと、
を備え、該プロセッサは、
前記送受信機を前記マルチサービス・ネットワークに合わせる、
前記マルチサービス・ネットワークに登録する、
前記送受信機を前記ベストエフォート・キャリアに合わせる、
前記ベストエフォート・ネットワークに登録する、
前記妨害を回避する機能が活性化されると、前記マルチサービス・ネットワークから登録解除する、
ように構成された、無線通信用端末。
【請求項２６】
請求項２５記載の前記端末において、前記プロセッサは、前記送受信機を前記ベストエフォート・キャリアから前記マルチサービス・キャリアに定期的に合わせ、着信音声通信およびデータ通信をチェックする前記端末。
【請求項２７】
請求項２５記載の前記端末において、前記プロセッサは前記端末を前記マルチサービス・キャリアに合わせ、前記妨害を回避する機能が非活性化すると、前記端末を前記マルチサービス・ネットワークに再登録する前記端末。
【請求項２８】
請求項２５記載の前記端末であって、ユーザの入力に応答して前記妨害を回避する機能を活性化するように構成された前記端末。
【請求項２９】
請求項２８記載の前記端末において、前記ユーザ入力はソフト・キー、専用キー、又は音声コマンドから実行可能である前記端末。
【請求項３０】
請求項２５記載の前記端末において、前記プロセッサは更に前記ベストエフォート・ネットワーク上でデータ通信を開始するように構成された前記端末。
【請求項３１】
請求項３０記載の前記端末において、前記データ通信はパケット・データ通信である前記端末。
【請求項３２】
請求項３１記載の前記端末において、前記パケット・データ通信がＩＰ通信上の音声を含む前記端末。
【請求項３３】
請求項３０記載の前記端末であって、前記プロセッサが前記ベストエフォート・キャリア上でデータ通信を開始する度に、前記妨害を回避する機能を自動的に活性化するように構成された前記端末。
【請求項３４】
請求項３０記載の前記端末であって、前記ベストエフォート・ネットワークに登録すると、前記妨害を回避する機能を自動的に活性化するように構成された前記端末。
【請求項３５】
無線通信ネットワークであって、
マルチサービス・キャリアを備えたマルチサービス・ネットワークと、
ベストエフォート・キャリアを備えたベストエフォート・ネットワークと、
端末と、
を備え、該端末は、
活性化および非活性化するように構成された妨害を回避する機能と、
マルチサービス・キャリア又はベストエフォート・キャリアに選択的に合わせるように構成された送受信機と、
プロセッサと、
を備え、該プロセッサは、
前記送受信機を前記マルチサービス・キャリアに合わせる、
前記端末を前記マルチサービス・ネットワークに登録する、
前記送受信機を前記ベストエフォート・キャリアに合わせる、
前記端末を前記ベストエフォートサービス・ネットワークに登録する、
前記妨害を回避する機能が活性化すると、前記端末を前記マルチサービス・ネットワークから登録解除する、又は選択された着信通信に関し前記端末を呼び出すように前記マルチサービス・ネットワークに対し指示する、
ように構成された前記無線通信ネットワーク。
【請求項３６】
請求項３５記載の無線通信ネットワークにおいて、前記選択された着信通信が音声通信である前記無線通信ネットワーク。
【請求項３７】
請求項３５記載の無線通信ネットワークにおいて、前記選択された着信通信が着信データ通信である前記無線通信ネットワーク。
【請求項３８】
請求項３５記載の無線通信ネットワークにおいて、前記選択された着信通信がＳＭＳメッセージである無線通信ネットワーク。
【請求項３９】
請求項３５記載の無線通信ネットワークにおいて、前記プロセッサは前記ベストエフォート・ネットワーク上でデータ通信を開始するように更に構成された前記無線通信ネットワーク。
【請求項４０】
請求項３９記載の無線通信ネットワークにおいて、前記データ通信がパケット・データ通信である前記無線通信ネットワーク。
【請求項４１】
請求項４０記載の無線通信ネットワークにおいて、前記パケット・データ通信がＩＰ通信上での音声を含む前記無線通信ネットワーク。
【請求項４２】
請求項４１記載の無線通信ネットワークにおいて、前記プロセッサが前記ベストエフォート・キャリア上でデータ通信を開始する度に、前記端末は前記妨害を回避する機能を自動的に活性化させるように更に構成された前記無線通信ネットワーク。
【請求項４３】
請求項３５記載の無線通信ネットワークにおいて、前記端末は前記ベストエフォート・ネットワークに登録すると前記妨害を回避する機能を自動的に活性化させるように更に構成された前記無線通信ネットワーク。
【請求項４４】
請求項３５記載の無線通信ネットワークにおいて、前記端末がユーザの入力に応答して前記妨害を回避するモードを活性化するように構成された前記無線通信ネットワーク。
【請求項４５】
請求項４４記載の無線通信ネットワークにおいて、前記ユーザの入力はソフト・キー、専用キー、または音声コマンドから実行可能である前記無線ネットワーク。
【請求項４６】
請求項３５記載の無線通信ネットワークにおいて、前記妨害を回避する機能が活性化されている間に、非選択通信を音声メール・アカウントに転送するように前記マルチサービス・ネットワークに対し指示するように、前記プロセッサは更に構成された前記無線通信ネットワーク。
【請求項４７】
請求項３５記載の無線通信ネットワークにおいて、前記端末に宛てた非選択着信通信が前記マルチサービス・ネットワークによって受信され、前記妨害を回避する機能が活性化されると、「応答しない端末」メッセージを戻すよう前記マルチサービス・ネットワークに対し指示するように、前記プロセッサは更に構成された前記無線ネットワーク。
【請求項４８】
無線通信用端末であって、
活性化および非活性化されるよう構成された妨害を回避する機能と、
マルチサービス・ネットワークのキャリア又はベストエフォート・ネットワークのキャリアに選択的に合わせるように構成された送受信機と、
プロセッサと、
を備え、該プロセッサは、
前記送受信機を前記マルチサービス・ネットワークに合わせる、
前記マルチサービス・ネットワークに登録する、
前記送受信機を前記ベストエフォート・キャリアに合わせる、
前記端末を前記ベストエフォート・ネットワークに登録する、
前記妨害を回避する機能が活性化したら、選択された着信通信に関し前記端末を呼び出すように、前記マルチサービス・ネットワークに対し指示する、
ように構成された無線通信用端末。
【請求項４９】
請求項４８記載の端末において、前記妨害を回避する機能が活性化されると、着信音声通信が音声メール・サービスに送られるように前記マルチサービス・ネットワークに対して指示するように前記プロセッサは更に構成された前記端末。
【請求項５０】
請求項４８記載の端末において、前記端末に宛てた着信音声通信が前記マルチサービス・ネットワークによって受信され、前記妨害を回避する機能が活性化されると、「応答しない端末」メッセージを戻すようにマルチサービス・ネットワークに対し指示するように前記プロセッサは更に構成された前記端末。
【請求項５１】
請求項４８記載の端末において、前記妨害を回避するモード非活性化されると、前記送受信機を前記マルチサービス・キャリアに合わせ、全ての着信通信の通知は前記端末に送信されるように、前記マルチサービス・ネットワークに対して指示するように前記プロセッサは更に構成された前記端末。
【請求項５２】
請求項４８記載の端末において、前記妨害を回避するモードが活性化中に、前記送受信機を前記マルチサービス・キャリアに定期的に合わせ、着信データ通信をチェックするように前記プロセッサは更に構成された前記端末。
【請求項５３】
請求項５２記載の端末において、着信データ通信がある場合、これを取り込み、次に前記データ通信を取り込んだ後再びベストエフォート・キャリアに合わせるように、前記プロセッサは更に構成された前記端末。
【請求項５４】
請求項４８記載の端末において、前記選択された着信通信は着信音声通信である前記端末。
【請求項５５】
請求項４８記載の端末において、前記選択された着信通信は着信データ通信である前記端末。
【請求項５６】
請求項４８記載の端末において、前記選択された着信通信はＳＭＳメッセージである前記端末。
【請求項５７】
請求項４８記載の端末において、前記プロセッサは前記ベストエフォート・ネットワーク上でデータ通信を開始するように更に構成された前記端末。
【請求項５８】
請求項５７記載の端末において、前記データ通信はパケット・データ通信である前記端末。
【請求項５９】
請求項５８記載の端末において、前記パケット・データ通信はＩＰ通信上の音声を含む前記端末。
【請求項６０】
請求項５７記載の端末であって、前記プロセッサが前記ベストエフォート・キャリア上でデータ・通信を開始する度に、妨害を回避する機能を自動的に活性化するように構成された前記端末。
【請求項６１】
請求項４８記載の端末であって、前記ベストエフォート・ネットワークに登録すると前記妨害を回避する機能を自動的に活性化するよう構成された前記端末。
【請求項６２】
請求項４８記載の端末であって、ユーザの入力に応答して前記妨害を回避するモードを活性化するように構成された前記端末。
【請求項６３】
請求項６２記載の無線ネットワークにおいて、前記ユーザの入力は、ソフト・キー、専用キー、又は音声コマンドから実行可能である前記無線通信ネットワーク。
【発明の詳細な説明】
【０００１】
（関連出願の相互参照）
本出願は、米国特許法第１１９条に基づき、２０００年１２月４日に出願された米国仮出願第６０／２５１，２４７号の優先権を主張し、その内容はこの言及により本願に含まれるものとする。
【０００２】
（発明背景）
（発明の分野）
本発明は一般的に無線通信に関し、更に特定すれば、無線通信ネットワークにおけるメッセージ・オーバーヘッドを低減させるシステムおよび方法に関するものである。
【０００３】
本来、無線通信ネットワークは、そのユーザに対し主として音声通信サービスを提供してきた。音声通信サービスは、回線交換技術を用いて提供されている。換言すれば、ネットワークは専用回線即ちチャネルを開き、これをネットワークにおいて行われる各通信に割り当てる。回線交換サービスは音声通信に好適ではあるが、データ通信には最適ではない。それでも、今日のネットワークの多くは、ある形態の回線交換データ又はパケット・データ・サービスを提供している。そのようなデータ・サービスの一例には、ショート・メッセージ・サービス（ＳＭＳ）が挙げられる。
【０００４】
ＳＭＳに関しては、ハンドセットのようなユーザの端末は、短いテキスト・メッセージを受信し、且つこれを表示できるよう構成されている。サービスは短いテキスト・メッセージをコンパイルし、次にそれをネットワークに転送してユーザの端末に送られる。ネットワークはユーザ端末につながる回線即ちチャネルを開き、ＳＭＳメッセージを転送する。ＳＭＳの他に、回線交換データ・サービス（ＣＳＤＳ：Ｃｉｒｃｕｉｔ  Ｓｗｉｔｃｈｅｄ  Ｄａｔａ  Ｓｅｒｖｉｃｅ）および高速回線交換データ・サービス（ＨＳＣＳＤＳ：Ｈｉｇｈ  Ｓｐｅｅｄ  Ｃｉｒｃｕｉｔ  Ｓｗｉｔｃｈｅｄ  Ｄａｔａ  Ｓｅｒｖｉｃｅ）といったその他の回線交換データ・サービスがある。
【０００５】
ごく最近になって、無線通信ネットワーク・オペレータは、パケット・データ・サービスを展開している。これらのサービスは現行の回線交換ネットワークに重畳することができ、即ち、現行の回線交換ネットワークからは独立したものとすることができる。パケット・データ・サービスの例には、インターネットＴＣＰ／ＩＰ標準に基づくセルラ・デジタル・パケット・データ（ＣＤＰＤ：Ｃｅｌｌｕｌａｒ  Ｄｉｇｉｔａｌ  Ｐａｃｋｅｔ  Ｄａｔａ）サービスと、一般パケット・ラジオ・サービス（ＧＰＲＳ：Ｇｅｎｅｒａｌ  Ｐａｃｋｅｔ  Ｒａｄｉｏ  Ｓｅｒｖｉｃｅ）と、がある。その結果、ユーザのハンドセットは現在、回線変換又はパケット・データ・サービスを用いてデータ通信を行うようになされている。
【０００６】
例えば、ｃｄｍａ２０００ＴＭに対応するようになされたハンドセットは互換性があるパケット・データ・サービスを用いるように構成することができる。国際電気通信連合（ＩＴＵ）は、ｃｄｍａ２０００ＴＭをそのＩＭＴ‐２０００構想に定めている。“１ｘＲＴＴ”（即ち、無線送信技術（Ｒａｄｉｏ  Ｔｒａｎｓｍｉｓｓｉｏｎ  Ｔｅｃｈｎｏｌｏｇｙ））として公知のｃｄｍａ２０００ＴＭ標準取り組みのフェーズ１は、電気通信工業会（ＴＩＡ）によって既に完了され、発表されている。１ｘＲＴＴは、ｃｄｍａＯｎｅＴＭに対する現行のスペクトル割り当ての範囲、即ち１．２５ＭＨｚキャリア内でのｃｄｍａ２０００ＴＭの実現を意味している。技術用語はＮ＝１（即ち、ｃｄｍａＯｎｅＴＭの場合と同じ１．２５ＭＨｚキャリアの使用）に由来しており、更に“１ｘ”は１．２５ＭＨｚの１倍を意味する。１ｘＲＴＴは、ｃｄｍａＯｎｅＴＭネットワークと下位互換性があるが、２倍の音声容量と、最高１４４Ｋｐｓのデータ・レートと、全体的品質改善と、をもたらす。
【０００７】
ハイ・データ・レート（ＨＤＲ）技術もまた１．２５ＭＨｚチャネルを採用している。ＨＤＲはｃｄｍａＯｎｅＴＭおよび１ｘＲＴＴシステムとはＲＦ互換性があり、送信機と、アンテナと、を現行のＣＤＭＡタワー内で並べて配備することを可能にしている。回線変換サービス用に最適化される１ｘＲＴＴとは異なり、ＨＤＲはベストエフォート・パケット・データ通信用にスペクトルで最適化される。ＨＤＲは１．８Ｍｂｐｓよりも大きなピーク・レートの非常に高速の無線によるインターネットへのアクセスを可能にする。特に、１ｘＲＴＴとは異なり、ＨＤＲキャリアにおける制御およびデータ・チャネルは時多重化される。ＨＤＲサービスの一例は１ｘＥＶＤＯサービスである。
【０００８】
回線交換サービスに関しては、音声通信中にそのような音声通信のソースと宛て先との間で接続が直接に確立され、メッセージが生成されてとやりとりされる。上述したように、また、回線交換サービスはＳＭＳメッセージのようなデータ通信も提供することができる。パケット・データ・サービスに関しては、パケット・データ・メッセージは複数のパケットに分割され、異なる経路を介してソースから宛て先へ伝えられる。従って、宛て先においてパケットを収集し、組み立てし直すことによってはじめてメッセージは配信可能となる。
【０００９】
ユーザの端末が、回線変換用と、パケット・データ通信用と、のいずれにもなされている場合、端末は端末にサービスを提供する回線変換ネットワークと、パケット・データ・ネットワークと、に登録しなければならない。端末は、一旦双方のネットワークに登録すると、ネットワークの一方の通信チャネルを「保留接続する」（“ｃａｍｐ”ｏｎ）。本明細書および以下の特許請求の範囲に関し、「保留接続する」という言葉とその派生語は、端末を双方のネットワークに登録しながら、ネットワークの一方に好適に合わせることを意味している。即ち殆どの時間、端末は一方のネットワークに合わせておく。例えば、端末はＨＤＲネットワークのパケット・データ・チャネルを保留接続する構成とすることができ、定期的にＨＤＲネットワークから切り離して回線変換ネットワークに合わせ、回線交換ネットワークの呼び出しチャネルを走査即ちポーリングし、音声通信又はデータ通信の着信があるかどうかを確認する。通信が着信すると、端末は回線変換ネットワークのチャネルに切り替えて通信を受信する。
【００１０】
しかしながら、着信通信のために端末が回線交換ネットワークに切り替わることは望ましくない状況もある。例えば、ユーザはパケット・データ通信を行っていて中断されたくない場合、又はユーザは単に着信通信によって妨げられたくない場合である。例えば、ユーザは会議中である場合もある。更に、ユーザが無線経営者との契約（ｓｕｂｓｃｒｉｐｔｉｏｎ）によって、パケット・データ・ネットワークとのデータ・セッション中にユーザの端末が回線交換ネットワークから音声通信又はデータ通信を受信することは認められていない。
【００１１】
現在の通信ネットワークでは、端末／ユーザが回線変換通信の受信を望んでいるか否かを回線変換ネットワークが実際に知る方法はない。例えば、回線交換ネットワークは端末を呼び出し、音声通信が着信していることを端末に通知しなければならない。回線交換ネットワークの呼び出しチャネルをポーリングすることによって端末がそのような通知を受信すると、端末はユーザに知らせ、ユーザはそのような着信音声通信を受信するか否かを決定しなければならない。
【００１２】
端末とパケット・データ通信との間で進行中のパケット・データ通信がある場合、上述したこのプロセスはそのようなデータ通信を中断させる。何故なら、端末は回線変換ネットワークの呼び出しチャネルを定期的にポーリングするからである。更に、それはまた頻繁な、しかし不要な、回線交換ネットワークへの登録と、回線交換ネットワーク上の呼び出しチャネルのポーリングと、を行う結果になる。これらはいずれも回線交換ネットワークのエア・インターフェース上に余分な信号を混入させることになる。余分な信号が排除されれば、回線交換ネットワークのメッセージ・オーバーヘッドは低減され、ユーザ端末、回線交換ネットワーク、またはユーザ端末と回線交換ネットワークとの双方のバッテリは長寿命化されよう。
【００１３】
（発明の要約）
無線通信ネットワークにおけるメッセージ・オーバーヘッドを低減させるシステムおよび方法は、妨害を回避する機能を備えた端末を使用することによって上記に論じた問題に対処する。
【００１４】
一態様では、無線通信用端末は、マルチサービス・ネットワークのキャリア又はベストエフォート・ネットワークのキャリアに選択的に合わせるように構成された送受信機と、妨害を回避する機能（ａ  ｄｏ  ｎｏｔ  ｄｉｓｔｕｒｂ  ｆｕｎｃｔｉｏｎ）を備えたプロセッサと、から成る。プロセッサは、送受信機をマルチサービス・ネットワークに合わせ、該マルチサービス・ネットワークに登録するように構成することができる。また、プロセッサは、送受信機をベストエフォート・キャリアに合わせ、該ベストエフォート・ネットワークに登録するように構成することができる。次に、プロセッサは、妨害を回避する機能が活性化するとマルチサービス・ネットワークから登録を解除するよう構成することができる。
【００１５】
このように、妨害を回避する機能は活性化させたり非活性化させたりすることによってマルチサービス・ネットワークから端末に送られる呼び出し量と、端末がマルチサービス・ネットワークに対して行う登録の数と、を制限することができる。このようにして、ネットワーク内のメッセージ・オーバヘッドは小さくできる。
【００１６】
本発明のその他の態様、利点、および新規の特徴は、以下の好適な実施形態の詳細な説明を添付図面と一緒に検討することによって明瞭となろう。
【００１７】
（好適な実施形態の詳細な説明）
以下の論述は、音声およびデータ通信に対応するよう構成されたマルチサービス・キャリアと、パケット・データ通信のようなデータ・サービス用に最適化されたベストエフォート・キャリアと、を含む無線通信ネットワークに関するものである。本明細書および以下の特許請求の範囲においては、パケット・データ通信はＩＰ上の音声を含む。しかしながら、ここで説明するシステムおよび方法は、複数の異なるタイプのネットワークと、２種類以上のネットワークにアクセスするよう構成された端末と、を備えたあらゆるシステムにも適用されることは明瞭である。従って、ここに説明する特定の実施形態は単なる例示に過ぎず、本発明を限定することを意図したものではない。
【００１８】
なおまた、キャリアには通常の場合、ネットワークから端末への順方向リンクと、端末からネットワークへの逆方向リンクと、がある。本明細書および以下の特許請求の範囲において用いられているように、キャリアという言葉は、特に指示がない限り順方向リンクおよび逆方向リンクの双方を指すことを意図している。
【００１９】
図１は、マルチサービス・ネットワーク１０１と、ベストエフォート・ネットワーク１０２と、公衆電話交換網（ＰＳＴＮ）１４５と、インターネット・サーバー１５０およびＩＳＰサーバー１６０を含んだインターネット・ネットワーク１０３と、を備えた無線通信システム１００を示す。端末１１０が２つモード用に構成されている場合、無線送受信機（図示されている）を有するラップトップ・コンピュータ又はハンドセット（図示せず）のような端末１１０におけるユーザは、ベストエフォート・キャリア１２０又はマルチサービス・キャリア１２５上で通信を行うことが可能である。マルチサービス・キャリア１２５はマルチサービス通信を搬送する。それには音声、パケット・データ、もしくはＳＭＳ又は放送情報サービスといったその他のマルチサービスが含まれる。ベストエフォート・キャリア１２０は、パケット・データ用に最適化されるキャリアである。かかるキャリア１２０の一例は、１ｘＥＶＤＯキャリアである。ベストエフォート基地局制御装置１３５によって制御されるベストエフォート送信機１３０は、ベストエフォート・キャリア１２０と通信を行う。ベストエフォート基地局制御装置１３５は、パケット・データ・スイッチング・ネットワーク（ＰＤＳＮ）１５５と結合されている。ＰＤＳＮ１５５は、端末１１０がインターネット１５０又は方法その他のソースからパケット・データを受信できるように、インターネット１５０をベストエフォート基地局制御装置１３５と接続する。
【００２０】
音声通信は、例えば１ｘＲＴＴキャリアのようなマルチサービス・キャリア１２５によって搬送され、マルチサービス基地局制御装置１３６によって制御されるマルチサービス送信機１３１によって送信されることが好ましい。モバイル・スイッチング・センター（ＭＳＣ）１４０は、ＰＳＴＮ１４５をマルチサービス基地局制御装置１３６に接続する。また、端末１１０はモバイル・スイッチング・センター１４０およびＩＳＰサーバー１６０を介してインターネット１５０からパケット・データを受信する。あるいは、パケット・データはＰＤＳＮ１５５又は別のＰＤＳＮ（図示せず）を介して基地局制御装置１３６に直接提供される。
【００２１】
マルチサービス・キャリア１２５と、ベストエフォート・キャリア１２０と、の双方を用いるように構成された端末１１０は、ＭＳＣ１４０およびＰＤＳＮ１５５の双方に登録しなければならない。登録後、端末１１０はマルチサービス・キャリア１２５又はベストエフォート・キャリア１２０を「保留接続する」。端末がベストエフォート・キャリアに合っていると想定すると、端末はマルチサービス・キャリア１２０特有のプロトコルに従って待機し、データ通信を送受信する。
【００２２】
キャリア１２５上に着信通信があると、ＭＳＣ１４０は呼び出し通知をマルチサービス・キャリア１２５の呼び出しチャネル上で端末に送信させる。端末はベストエフォート・ネットワーク１０２から切り離し、前述の呼び出しチャネルを定期的に走査即ちポーリングすることによりこれらの呼び出しを更に検出することができる。端末がＭＳＣ１４０から呼び出しを受信すると、該端末はユーザに着信通信があることを知らせる。
【００２３】
更に、端末がキャリア１２５上で着信通信と、呼び出しと、を受信し続けることができるように、端末は定期的にキャリア１２０から切り離しキャリア１２５にアクセスして登録メッセージをＭＳＣ１４０に送信する。
【００２４】
通信の流れの手順の一例を図２に示す。ここでは、キャリア１２０が使用可能であるため、端末はこのキャリアのチャネルの保留接続および監視を行う。次にユーザは、ステップ２００において、キャリア１２０上で１つ以上のデータ・パケット通信を始める。ステップ２０５および２１０において示すように、端末は定期的にパケット・データ通信を保留してキャリア１２５に合わせ、ＭＳＣ１４０が端末に宛てた着信通信を探す。ステップ２０５では、そのような通信が検出されなかったため、端末はキャリア１２０に戻ってパケット・データ通信を再開する。
【００２５】
しかしながら、ステップ２１０では、端末はキャリア１２５上で着信通信を検出する。すると端末は、パケット・データ通信を保留しながらキャリア１２５を介した着信通信があることをユーザに知らせる。ユーザがこの着信通信を受信することを決定すると、例えば「トーク」ボタンを押すことによって、端末はキャリア１２５上で活性通信を確立する。ステップ２１５においてキャリア１２５を通じたかかる活性通信が終了すると、端末はキャリア１２０に再び合わせ、パケット・データ通信を続行又は再び確立する。ただし、それはベストエフォート・ネットワーク１０２がなお端末と通信を行おうとしているか否かにかかる。例えば、ネットワーク１０１を通じた着信通信が音声通信である場合、端末はマルチサービス・ネットワーク１０１のキャリア１２５に合わせ、ユーザの入力に応答して音声通信を確立する。音声通信が終了すると、端末はキャリア１２０に再び合わせることができる。ベストエフォート・キャリアがなお端末と通信を行おうとしている場合、端末はパケット・データ通信を続行する。あるいは、端末は、該端末が以前行っていたあらゆるパケット・データ通信を再び確立することになる。
【００２６】
端末のユーザが着信通信を受信しないことを決定した場合、端末はキャリア１２５との通信を確立せず、キャリア１２０に再び合わせ、パケット・データ・通信を再度確立する。
【００２７】
端末は、無線モデムを備えた移動局又はラップトップとすることができる。また端末は、これもまた無線モデムを備えた個人用携帯型情報端末（ＰＤＡ：Ｐｅｒｓｏｎａｌ  ｄｉｇｉｔａｌ  Ａｓｓｉｓｔａｎｔ）、又はある別の種類の携帯コンピュータとすることができる。実際、端末は複数の異なるキャリアにアクセスするように構成された無線モデムを備えたあらゆる携帯コンピュータとすることができる。
【００２８】
図３はここで説明したシステムおよび方法と一緒に用いることができる無線モデム３００の一例を示す。モデム３００は、プロセッサ３２６とＲＦ部３２８とを備える。ＲＦ部３２８は無線周波数（ＲＦ）キャリア信号を受信するためのアンテナ３０２を備える。例えば、アンテナ３０２はキャリア１２５の信号と、キャリア１２０の信号と、を受信することができる。またアンテナ３０２は、それぞれのネットワークに伝達されるデータで符号化されたＲＦ信号を送信するよう構成される。デュプレクサ３０４はアンテナ３０２に結合され、アンテナをモデム３００内の受信経路と送信経路との間で切り替えを行う。
【００２９】
受信経路は低雑音増幅器（ＬＮＡ）３０６を備え、この低雑音増幅器は受信したＲＦキャリア信号を適切なレベルに増幅し、更に処理を行う。増幅された信号は次に復調回路３１０に渡される。標準的な受信経路では、復調回路３１０は２つの段階からなる。第１の段階では、ＲＦミキサー３１２は受け取ったＲＦ信号をＲＦ局部発振器（ＲＦＬＯ）３２２信号と混合し、これによって中間周波数（ＩＦ）信号を生成する。第２の段階では、ＩＦ信号はＩＦＬＯ３２４信号と混合され、ＩＦ信号をベースバンド信号に下げる。次に、ベースバンド信号はプロセッサ３２６と結合される。プロセッサ３２６には、ベースバンド信号に含まれるあらゆるデータを復号するよう構成されたプロセッサ（図示せず）が含まれる。
【００３０】
送信経路では、ネットワークに伝達されるデータはプロセッサ３２６によってベースバンド上で符号化され、変調回路３２０に結合される。変調回路３２０は、ベースバンド信号をＩＦＬＯ３２４信号と混合させることによって混合機３１８内のＩＦ信号となるまでベースバンド信号を混合する。次に、ＩＦ信号をＲＦＬＯ３２２信号と混合することによって、ＩＦ信号は混合機３１６内のＲＦ信号となるまで混合される。次に、ＲＦ信号は、電力増幅器（ＰＡ）３０８によって増幅され、アンテナ３０２によって送信されたＲＦ信号が充分な電力を確実に有することができるようにする。
【００３１】
送信経路においては、ＲＦＬＯ３２２を正確なＲＦキャリア信号を生成するように合わせなければならない。例えば、モデム３００がベストエフォート・ネットワーク１０２とパケット・データ通信を行っている場合、ＲＦＬＯ３２２を、ＨＤＲキャリア周波数のような適切なキャリア周波数のＲＦ信号を生成するように合わせなければならない。一方、モデム３００が音声通信を行っている場合、ＲＦＬＯ３２２を、１ｘＲＴＴキャリア周波数のような適切なキャリア周波数のＲＦ信号を生成するように合わせなければならない。
【００３２】
図３は、標準的な実施形態において、プロセッサ３２６はＲＦＬＯ３２２に合わせることを制御することを示している。またプロセッサ３２６は、必要に応じてＩＦＬＯ３２４を合わせるが、ＩＦＬＯ３２４は同じ周波数のままであり、ＲＦＬＯ３２２だけが合わされる。実際、実施形態によっては、モデム３００はＩＦＬＯ３２４、又は混合機３１４と３１８とを含まない。この場合、ＲＦ混合機３１２が、受信したＲＦキャリアを直接ベースバンド信号に変換し、ＲＦ混合機３１６がプロセッサ３２６から結合されたベースバンド信号を直接ＲＦ信号に変換する。この種のアーキテクチャは直接変換アーキテクチャと呼ばれる。
【００３３】
特定のアーキテクチャにかかわらず、送信経路および受信経路は通常の場合送受信機のような１つのユニットに含まれる。従って、標準的な実施形態では、プロセッサ３２６は送受信機を適切なキャリアに合わせる役割を担う。それは、送受信機をキャリア１２０から切替え、キャリア１２５上の着信通信をチェックするような場合であり、即ちステップ２０５である。
【００３４】
しかしながら、端末がキャリア１２５に切替えて着信通信を受信することが望ましくない状況がある。例えば、ユーザはパケット・データ通信を行っていてこれを中断されたくたくない、又はユーザは単にキャリア１２５上の着信通信によって妨害されたくない。例えば、ユーザは会議中であり、その場でユーザが通信を受信するのは適切ではない。更に、ユーザの加入者契約では、ベストエフォート・ネットワーク１０２を通じたアクティブなパケット・データ・セッションがある間はマルチサービス・ネットワーク１０１を通じた音声通信の受信は認められない。
【００３５】
システム１００のような現在の無線通信システムでは、端末がネットワーク１０２のベストエフォート・キャリア１２０とパケット・データ通信を行っている、またはこれを保留接続している間に、マルチサービス・ネットワーク１０１を通じたあらゆる着信通信を端末又はユーザは受信したいのか否かを、マルチサービス・ネットワーク１０１が実際に知る方法はない。現在、マルチサービス・ネットワーク１０１は端末を呼び出して端末に着信音声通信又はデータ通信があることを通知しなければならない。ベストエフォート・ネットワーク１０２から一時的に切り離し、マルチサービス・ネットワーク１０１に合わせてマルチサービス・ネットワーク１０１の呼び出しチャネルをポーリングすることによってこのような呼び出しを端末が受信する場合、端末は例えばベルを鳴らす、又は表示することによって着信通信があることをユーザに知らせる。
【００３６】
進行中のパケット・データ通信がある場合、かかるパケット・データ通信は保留されるか、又は中断される。何故なら上述のように端末はマルチサービス・ネットワーク１０１に合わされるからである。更に、それはまた結果的に、頻繁な、しかし不要な回線交換ネットワーク上での登録と、回線交換ネットワーク上での呼び出しチャネルのポーリングと、を行うことになる。それらは全て不要な信号を混入させる。そのような不要な信号が削減又は排除されると、マルチサービス・ネットワーク１０１のメッセージ・オーバーヘッドは低減され、ユーザ端末、マルチサービス・ネットワーク、ベストエフォート・ネットワーク、又はそのあらゆる組み合わせのバッテリ寿命が縮められる。
【００３７】
ユーザがかかる通信を受信したくない場合、ＭＳＣ１４０は呼び出し・メッセージを送信してマルチサービス・ネットワーク上の一部の着信通信の端末への通知を停止することが好ましい。ＭＳＣ１４０がキャリア１２５を通じた着信通信を端末に通知する呼び出しを送らないようにする方法がいくつかある。例えば、端末は（１）登録解除メッセージをＭＳＣ１４０に送信する（２）登録メッセージをＭＳＣ１４０に送り、端末が受信したいのはデータ通信だけであることをマルチサービス・ネットワーク１０１に知らせる（３）信号を送って、あらゆる音声通信に関して端末を呼び出さないように、且つ全ての音声通信を音声メールへ転送するようにＭＳＣ１４０に指示することができる。第２および第３の実施形態では、マルチサービス・ネットワーク１０１はＳＭＳメッセージのようなデータ通信に関し端末を呼び出すだけであり、従って端末は呼び出しチャネルを介してＳＭＳメッセージをマルチサービス・ネットワーク１０１からなお受信することができる。端末がマルチサービス・ネットワーク１０１の呼び出しチャネルをポーリングすることに伴う時間は、一般にはごく僅かなものであり、従って端末とベストエフォート・ネットワーク１０２との間でのパケット・データ・セッションのポーリングによる中断はいずれも極めて小さい。
【００３８】
これの場合のすべてにおいて、マルチサービス・ネットワーク１０１が着信音声通信のネットワークの受信に関して端末を呼び出そうとしないように、ネットワークは更新されるか又は指示を受ける。即ち、ネットワーク１０１は、端末があらゆる着信音声通信に関し呼び出されることを望む場合にのみ端末を呼び出す。従って、ネットワーク１０１のバッテリ寿命は改善される。何故なら、このネットワーク１０１は、そうすることが必要である時に端末を呼び出すだけだからである。
【００３９】
上述の機能は「妨害を回避する」機能を内部に有する端末を備えることによって実現することができる。そのような妨害を回避する機能は、例えば端末上にあるソフト・キー又は専用キーを用いることによって、あるいは端末が音声確認機能を備える場合には、音声を活性化によって活性化することができる。また、かかる機能は手作業による活性化、即ちユーザによる活性化に加え自動的に活性化される。それについては以下に更に詳細に説明する。
【００４０】
妨害を回避する機能が呼び出されると、端末が作動してマルチサービス・ネットワーク１０１に一時的に合わせ、ＭＳＣ１４０に対し（１）あらゆる着信音声通信を端末に知らせないように、又は（２）端末がＭＳＣ１４０から登録を解除し、ＭＳＣが端末にあらゆる着信音声通信と、データ通信と、を知らせないように要求する。次に、移動端末はキャリア１２０に再び合わせ、端末が行っていた可能性の高いあらゆるパケット・データ通信を保留し続けるか又はこの通信を続行することができる。
【００４１】
第１の事例では、端末はキャリア１２５を介してネットワーク１０１からＳＭＳメッセージをなお受信することができる。そうするためには、端末は、マルチサービス・ネットワーク１０１の呼び出しチャネルを定期的にポーリングする。マルチサービス・ネットワーク１０１が受信する着信音声通信、即ち呼に関しては、かかるネットワーク１０１はそれらの呼を音声メールに転送するか、又はそれらの呼を音声メールには転送せず、更に／又は発呼者に端末利用者は現在電話に出られないことをおおまかに知らせる。ＭＳＣ１４０からの音声呼び出しを受信する機能を元に戻すには、妨害を回避する機能を非活性化しなければならず、この非活性化は手動式又は自動式とすることができる。手動により非活性化するには、ユーザは、例えば端末上のキーを押す。端末はキャリア１２５に一時的に合わせ登録を行う、又はあらゆる音声呼び出しを再び受信できるようにＭＳＣ１４０に要求を送信する。
【００４２】
第２の事例では、端末はＭＳＣ１４０から登録を解除され、ＭＳＣ１４０は端末に対し音声又はデータ呼び出しを一切送信しない。更に具体的には、端末は登録解除メッセージをＭＳＣ１４０に送り、且つ端末はＭＳＣ１４０に対する登録メッセージの送信、およびＭＳＣ１４０からの呼び出しをポーリングすることを停止する。これによって、端末はキャリア１２５を介してネットワーク１０１からＳＭＳメッセージを一切受信することはできない。音声又はデータ通信を含んだあらゆる着信通信の呼び出しをＭＳＣ１４０から受信する機能を元に戻すには、妨害を回避する機能をディスエーブルにする必要がある。次に端末はキャリア１２５に一時的に合わせて登録を行うか、又はＭＳＣ１４０に要求を送ってそのような呼び出しを再び受信できるようにする。
【００４３】
上述したように、機能の不活性化は手動式又は自動式とすることができる。自動式活性化に関しては、端末は自動的に登録解除するか、又は例えば、ベストエフォート・ネットワーク１０２のキャリア１２０上でデータ通信が確立されようとしている場合には呼び出しの制限を求める要望をＭＳＣ１４０に送る。そうした場合、端末をベストエフォート・ネットワークに合わせて何らかの呼び出し通知があればこれをベストエフォート・ネットワークから受信したいというだけのユーザの要望ではなく、端末とベストエフォート・ネットワークとの間でパケット・データ通信を開始したいとのユーザの要望によって、端末の行動は制御される。また、端末がパケット・データ・サービスからの接続を解除する、即ちベストエフォート・ネットワーク１０２とのパケット・データ通信を終了させる度に、マルチサービス・ネットワーク１０１上の全ての音声通信、データ通信、又は音声通信とデータ通信との双方を受信する機能は自動的に再びエーブルとなる。
【００４４】
図４は、ネットワーク１０１のような無線通信ネットワークにおいてメッセージ・オーバーヘッドを低減させ、不要な着信通信を回避することを可能にする方法の一例を示すフロー・チャートである。端末はまずステップ４０２において、マルチサービス・ネットワーク１０１の、例えばＭＳＣ１４０に登録し、次にステップ４０４において、端末はベストエフォート・ネットワークの、例えばパケット・データ・スイッチング・ネットワーク１５５に登録する。端末はステップ４０６において、ベストエフォート・ネットワークのＨＤＲキャリアを保留接続するが、ステップ４０８においては、端末はかかるベストエフォート・ネットワーク上で音声通信又はデータ通信の着信を端末に知らせるベストエフォート・ネットワークの呼び出しを定期的にポーリングする。
【００４５】
ステップ４１０では、端末のユーザは妨害を回避する機能を活性化する。上述したように、この活性化は、例えばキーを介して又は音声コマンドを介して遂行される。この活性化によって、端末はマルチサービス・ネットワークのキャリアに合わせ、かかるマルチサービス・ネットワークから登録を解除する。従って、端末宛て着信音声通信又はデータ通信があっても、マルチサービス・ネットワークは端末を呼び出すことはない。何故なら、端末はそのネットワークに登録されていないからである。
【００４６】
ステップ４１２では、ユーザは妨害を回避する機能をディスエーブルし、端末をマルチサービス・ネットワークのキャリアに合うようにし、かかるネットワークに再登録するようにする。ここで、端末宛ての着信音声又はデータ通信があった場合、マルチサービス・ネットワークは端末を呼び出し、ユーザは通信を受信することができる。
【００４７】
図５のフロー・チャートによって代替方法が示されている。ステップ５０２、５０４、５０６、５０８および５１０は、図４の４０２、４０４、４０６、４０８および４１０に対応する。しかし図５に示された方法において、ステップ５１０では、妨害を回避する機能を呼び出すと、端末はマルチサービス・キャリアに合わせ、ステップ５１２では、端末への全ての呼び出しの送信は停止するようにマルチサービス・ネットワークに指示するのではなく、着信データ通信に関係する呼び出しのような一部の呼び出しだけを送信するようにマルチサービス・キャリアに指示する。あるいはステップ５１２では、端末がベストエフォート・ネットワークとデータ通信を行っている一方でユーザが重要な音声呼を待っている場合、端末は着信音声通信に関係する呼び出しのような一部の呼び出しだけを送信するようにマルチサービス・ネットワークに指示することもできる。
【００４８】
ステップ５１４では、ステップ５１２で要求が送信された後、端末はマルチサービス・ネットワークからのデータ呼び出しをポーリングし続ける。したがって、例えば着信マルチサービス・データ通信がある場合、端末はマルチサービス・キャリアに合わせ、ステップ５１６で着信データ通信を受信することができる。しかしながら、端末は通信を受信する前にユーザの入力を取得するように構成することができる。このように、ユーザはなお通信を受信しないことを選択することができる。あるいは、また端末は、特にそのような通信がＳＭＳメッセージ又は電子メールである場合には、ユーザが目視できるようにデータ通信を自動的に表示する。
【００４９】
ステップ５１２において要求が送信された後、ステップ５１８において、例えば端末宛ての音声通信がマルチサービス・ネットワークによって受信された場合、呼び出しは要求に基づいて送信されない。マルチサービス・ネットワークへのユーザの加入契約に音声メール・サービスが含まれていれば、ステップ５１２において送信される要求は、音声メール・サービスが使用可能の際、音声通信を音声メールに転送するように、マルチサービス・ネットワークに指示することができる。あるいは、マルチサービスは予め記録されたメッセージを告げるか、又は通話中の信号を提示するといったように、端末は一時的に利用不能であることを発呼者に知らせるように構成することができる。
【００５０】
ステップ５２０において、ユーザは妨害を回避する機能をディスエーブルし、ステップ５２２において、端末にマルチサービス・ネットワークのキャリアに合わさせ、全ての着信マルチサービス通信用の呼び出しが再び端末に転送されるように要求する。
【００５１】
図６のフロー・チャートによって、別の代替方法が示されている。ステップ６０２において、端末はマルチサービス・ネットワークに登録し、次に端末はステップ６０４においてベストエフォート・ネットワークに登録する。
【００５２】
ステップ６０６において、端末はベストエフォート・ネットワークのキャリアに合わせ、パケット・データ通信を開始する。これにより、ステップ６０８において、端末はベストエフォート・ネットワークのキャリアに自動的に合わせ、ステップ６１０において、登録解除メッセージを送信する。従って、パケット・データ通信が行われている間呼び出しがマルチサービス・ネットワークから端末へ送信されることはない。
【００５３】
ステップ６１２では、パケット・データ通信が完了すると、ステップ６１４において、端末はマルチサービス・キャリアに自動的に合わせ、マルチサービス・ネットワークに登録するため呼び出しは再び送信される。
【００５４】
本発明の上述の実施形態において留意すべきことは、妨害を回避する機能はいつでも活性化又は非活性化することができることである。換言すれば、かかる機能は、端末とネットワークの一方との間の通信前、又は通信中に活性化又は非活性化することができる。
【００５５】
本発明の実施形態および実施態様を示し説明してきたが、本発明の範囲内にはもっと多くの実施形態および実施態様があることは明白であろう。従って、本発明は特許請求の範囲およびその等価物以外では限定されるものではない。
【図面の簡単な説明】
本明細書において教示される本発明の好適な実施形態は添付図面の図において説明するが、一例として行うのであって、限定として行うのではない。
【図１】
図１は、無線通信システムの一例を示す図である。
【図２】
図２は、通信の流れの順序の一例を示すフロー・チャートである。
【図３】
図３は、図１の手法のような無線通信システムにおける図２の手順を実施するのに用いることができる無線モデムの一例を示す論理ブロック図である。
【図４】
図４は、本発明の一実施形態による無線通信システムにおけるメッセージ・オーバーヘッドを低減させる方法の一例を示すフロー・チャートである。
【図５】
図５は、本発明の一実施形態による無線通信システムにおけるメッセージ・オーバーヘッドを低減させる方法の一例を示す別のフロー・チャートである。
【図６】
図６は、本発明の一実施形態による無線通信システムにおけるメッセージ・オーバーヘッドを低減させる方法の一例を示す更に別のフロー・チャートである。
【図１】
2004515985.tif 000003
【図２】
2004515985.tif 000004
【図３】
2004515985.tif 000005
【図４】
2004515985.tif 000006
【図５】
2004515985.tif 000007
【図６】
2004515985.tif 000008
【国際公開パンフレット】
2004515985.tif 000009
2004515985.tif 000010
2004515985.tif 000011
2004515985.tif 000012
2004515985.tif 000013
2004515985.tif 000014
2004515985.tif 000015
2004515985.tif 000016
2004515985.tif 000017
2004515985.tif 000018
2004515985.tif 000019
2004515985.tif 000020
2004515985.tif 000021
2004515985.tif 000022
2004515985.tif 000023
2004515985.tif 000024
2004515985.tif 000025
2004515985.tif 000026
2004515985.tif 000027
2004515985.tif 000028
2004515985.tif 000029
2004515985.tif 000030
2004515985.tif 000031
2004515985.tif 000032
2004515985.tif 000033
2004515985.tif 000034
2004515985.tif 000035
2004515985.tif 000036
2004515985.tif 000037
2004515985.tif 000038
2004515985.tif 000039
2004515985.tif 000040
2004515985.tif 000041
【国際公開パンフレット（コレクトバージョン）】
2004515985.tif 000042
2004515985.tif 000043
【手続補正書】
【提出日】平成14年11月15日(2002.11.15)
【手続補正１】
【補正対象書類名】明細書
【補正対象項目名】特許請求の範囲
【補正方法】変更
【補正の内容】
【特許請求の範囲】
【請求項１】
ベストエフォート・ネットワークのキャリア又はマルチサービス・ネットワークのキャリアに合わせるように構成された端末を採用する無線通信の方法であって、該方法は、
前記端末を前記マルチサービス・ネットワークに登録するステップと、
前記端末を前記ベストエフォート・ネットワークに登録するステップと、
前記端末を前記ベストエフォート・キャリアに合わせるステップと、
前記端末にかかわる妨害を回避する機能を活性化するステップと、
前記妨害を回避する機能の活性化に応答して、前記端末を前記マルチサービス・ネットワークから登録解除するステップと、
からなる前記方法。
【請求項２】
請求項１記載の方法は、更に、
前記端末を登録解除する前に、前記端末を前記マルチサービス・キャリアに合わせるステップと、
前記端末から登録を解除した後、前記端末を前記ベストエフォート・キャリアに合わせるステップと、
からなる前記方法。
【請求項３】
請求項１記載の方法は更に
前記妨害を回避する機能をディスエーブルするステップと、
前記妨害を回避する機能をディスエーブルするステップに応答して前記端末を前記マルチサービス・キャリアに合わせるステップと、
前記端末を前記マルチサービス・ネットワークに再登録するステップと、
を含む前記方法。
【請求項４】
請求項３記載の方法は更に、
前記端末が前記ベストエフォート・キャリアに合わされ、前記マルチサービス・ネットワークに登録されている間に、前記端末を前記マルチサービス・キャリアに定期的に合わせ、前記マルチサービス・ネットワークからの着信通信をチェックするステップを含む前記方法。
【請求項５】
請求項１記載の方法において、前記端末を前記ベストエフォート・キャリアに合わせると、前記妨害を回避する機能を活性化するステップが自動的に行われる前記方法。
【請求項６】
請求項１記載の方法は更に、
前記端末を登録解除した後、前記ベストエフォート・ネットワーク上でデータ通信を開始するステップ、
を含む前記方法。
【請求項７】
請求項６記載の方法において、前記データ・通信がパケット・データ通信である前記方法。
【請求項８】
請求項７記載の方法において、前記パケット・データ通信がＩＰ通信上の音声を含む前記方法。
【請求項９】
請求項６記載の方法において、前記データ通信を開始すると、前記妨害を回避する機能を活性化させるステップが自動的に行われる前記方法。
【請求項１０】
ベストエフォート・ネットワークのキャリア又はマルチサービス・ネットワークのキャリアに合わせるように構成された端末を採用した無線通信の方法であって、該方法は、
前記端末を前記マルチサービス・ネットワークに登録するステップと、
前記端末を前記ベストエフォート・ネットワークに登録するステップと、
前記端末を前記ベストエフォート・キャリアに合わせるステップと、
前記端末にかかわる妨害を回避する機能を活性化するステップと、
前記妨害を回避する機能の活性化に応答して、選択された着信通信に関して前記端末を呼び出すように前記マルチサービス・ネットワークに指示するステップと、
からなる前記方法。
【請求項１１】
請求項１０記載の方法は更に、前記妨害を回避する機能を活性化する前に、前記端末を前記マルチサービス・キャリアに定期的に合わせ、前記マルチサービス・ネットワークからの着信音声およびデータ通信をチェックするステップを含む前記方法。
【請求項１２】
請求項１０記載の方法は更に、
前記マルチサービス・ネットワークに指示した後、前記端末を前記マルチサービス・キャリアに定期的に合わせ、前記マルチサービス・ネットワークからの前記選択された着信通信をチェックするステップ、
を含む前記方法。
【請求項１３】
請求項１２記載の方法は更に
前記選択された着信データ通信を前記マルチサービス・キャリアから受信するステップ、
を含む前記方法。
【請求項１４】
請求項１０記載の方法において、前記選択された着信通信は着信音声通信である前記方法。
【請求項１５】
請求項１０記載の方法において、前記選択された着信通信は着信データ通信である前記方法。
【請求項１６】
請求項１０記載の方法において、前記選択された着信通信はＳＭＳメッセージである前記方法。
【請求項１７】
請求項１０記載の方法は更に、
前記マルチサービス・ネットワークに指示する前に、前記端末を前記マルチサービス・キャリアに合わせるステップと、
前記マルチサービス・ネットワークに指示した後に、前記端末を再び前記ベストエフォート・キャリアに合わせるステップと、
を含む前記方法。
【請求項１８】
請求項１０記載の方法は更に、
前記妨害を回避する機能をディスエーブルするステップと、
前記妨害を回避する機能をディスエーブルするステップに応答して前記端末を前記マルチサービス・キャリアに合わせるステップと、
全ての着信通信に関して前記端末を呼び出すように前記マルチサービス・ネットワークに指示するステップと、
を含む前記方法。
【請求項１９】
請求項１０記載の方法において、前記端末を前記ベストエフォート・キャリアに合わせると、前記妨害を回避する機能を活性化するステップが自動的に行われる前記方法。
【請求項２０】
請求項１０記載の方法は更に、前記ベストエフォート・キャリア上でデータ通信を開始するステップを含み、前記データ通信を開始すると、前記妨害を回避する機能を活性化するステップが自動的に行われる前記方法。
【請求項２１】
請求項２０記載の方法において、前記データ通信がパケット・データ通信である前記方法。
【請求項２２】
請求項２１記載の方法において、前記パケット・データ通信がＩＰ通信上の音声を含む前記方法。
【請求項２３】
請求項１０記載の方法は更に、前記妨害を回避する機能が活性化される間に、非選択着信通信を音声メール・アカウントに転送するように前記マルチサービス・ネットワークに指示するステップを含む前記方法。
【請求項２４】
請求項１０記載の方法は更に、前記端末に宛てた非選択着信通信が前記マルチサービス・ネットワークによって受信され、前記妨害を回避する機能が活性化されると、「応答しない端末」のメッセージを戻すように前記マルチサービス・ネットワークに対し指示するステップを含む前記方法。
【請求項２５】
無線通信用端末であって、
活性化および非活性化するように構成された妨害を回避する機能と、
マルチサービス・ネットワークのキャリアまたはベストエフォート・ネットワークのキャリアに選択的に合わせるように構成された送受信機と、
プロセッサと、
を備え、該プロセッサは、
前記送受信機を前記マルチサービス・ネットワークに合わせる、
前記マルチサービス・ネットワークに登録する、
前記送受信機を前記ベストエフォート・キャリアに合わせる、
前記ベストエフォート・ネットワークに登録する、
前記妨害を回避する機能が活性化されると、前記マルチサービス・ネットワークから登録解除する、
ように構成された、無線通信用端末。
【請求項２６】
請求項２５記載の前記端末において、前記プロセッサは、前記送受信機を前記ベストエフォート・キャリアから前記マルチサービス・キャリアに定期的に合わせ、着信音声通信およびデータ通信をチェックする前記端末。
【請求項２７】
請求項２５記載の前記端末において、前記プロセッサは前記端末を前記マルチサービス・キャリアに合わせ、前記妨害を回避する機能が非活性化すると、前記端末を前記マルチサービス・ネットワークに再登録する前記端末。
【請求項２８】
請求項２５記載の前記端末であって、ユーザの入力に応答して前記妨害を回避する機能を活性化するように構成された前記端末。
【請求項２９】
請求項２８記載の前記端末において、前記ユーザ入力はソフト・キー、専用キー、又は音声コマンドから実行可能である前記端末。
【請求項３０】
請求項２５記載の前記端末において、前記プロセッサは更に前記ベストエフォート・ネットワーク上でデータ通信を開始するように構成された前記端末。
【請求項３１】
請求項３０記載の前記端末において、前記データ通信はパケット・データ通信である前記端末。
【請求項３２】
請求項３１記載の前記端末において、前記パケット・データ通信がＩＰ通信上の音声を含む前記端末。
【請求項３３】
請求項３０記載の前記端末であって、前記プロセッサが前記ベストエフォート・キャリア上でデータ通信を開始する度に、前記妨害を回避する機能を自動的に活性化するように構成された前記端末。
【請求項３４】
請求項３０記載の前記端末であって、前記ベストエフォート・ネットワークに登録すると、前記妨害を回避する機能を自動的に活性化するように構成された前記端末。
【請求項３５】
無線通信ネットワークであって、
マルチサービス・キャリアを備えたマルチサービス・ネットワークと、
ベストエフォート・キャリアを備えたベストエフォート・ネットワークと、
端末と、
を備え、該端末は、
活性化および非活性化するように構成された妨害を回避する機能と、
マルチサービス・キャリア又はベストエフォート・キャリアに選択的に合わせるように構成された送受信機と、
プロセッサと、
を備え、該プロセッサは、
前記送受信機を前記マルチサービス・キャリアに合わせる、
前記端末を前記マルチサービス・ネットワークに登録する、
前記送受信機を前記ベストエフォート・キャリアに合わせる、
前記端末を前記ベストエフォートサービス・ネットワークに登録する、
前記妨害を回避する機能が活性化すると、前記端末を前記マルチサービス・ネットワークから登録解除する、又は選択された着信通信に関し前記端末を呼び出すように前記マルチサービス・ネットワークに対し指示する、
ように構成された前記無線通信ネットワーク。
【請求項３６】
請求項３５記載の無線通信ネットワークにおいて、前記選択された着信通信が音声通信である前記無線通信ネットワーク。
【請求項３７】
請求項３５記載の無線通信ネットワークにおいて、前記選択された着信通信が着信データ通信である前記無線通信ネットワーク。
【請求項３８】
請求項３５記載の無線通信ネットワークにおいて、前記選択された着信通信がＳＭＳメッセージである無線通信ネットワーク。
【請求項３９】
請求項３５記載の無線通信ネットワークにおいて、前記プロセッサは前記ベストエフォート・ネットワーク上でデータ通信を開始するように更に構成された前記無線通信ネットワーク。
【請求項４０】
請求項３９記載の無線通信ネットワークにおいて、前記データ通信がパケット・データ通信である前記無線通信ネットワーク。
【請求項４１】
請求項４０記載の無線通信ネットワークにおいて、前記パケット・データ通信がＩＰ通信上での音声を含む前記無線通信ネットワーク。
【請求項４２】
請求項４１記載の無線通信ネットワークにおいて、前記プロセッサが前記ベストエフォート・キャリア上でデータ通信を開始する度に、前記端末は前記妨害を回避する機能を自動的に活性化させるように更に構成された前記無線通信ネットワーク。
【請求項４３】
請求項３５記載の無線通信ネットワークにおいて、前記端末は前記ベストエフォート・ネットワークに登録すると前記妨害を回避する機能を自動的に活性化させるように更に構成された前記無線通信ネットワーク。
【請求項４４】
請求項３５記載の無線通信ネットワークにおいて、前記端末がユーザの入力に応答して前記妨害を回避するモードを活性化するように構成された前記無線通信ネットワーク。
【請求項４５】
請求項４４記載の無線通信ネットワークにおいて、前記ユーザの入力はソフト・キー、専用キー、または音声コマンドから実行可能である前記無線ネットワーク。
【請求項４６】
請求項３５記載の無線通信ネットワークにおいて、前記妨害を回避する機能が活性化されている間に、非選択通信を音声メール・アカウントに転送するように前記マルチサービス・ネットワークに対し指示するように、前記プロセッサは更に構成された前記無線通信ネットワーク。
【請求項４７】
請求項３５記載の無線通信ネットワークにおいて、前記端末に宛てた非選択着信通信が前記マルチサービス・ネットワークによって受信され、前記妨害を回避する機能が活性化されると、「応答しない端末」メッセージを戻すよう前記マルチサービス・ネットワークに対し指示するように、前記プロセッサは更に構成された前記無線ネットワーク。
【請求項４８】
無線通信用端末であって、
活性化および非活性化されるよう構成された妨害を回避する機能と、
マルチサービス・ネットワークのキャリア又はベストエフォート・ネットワークのキャリアに選択的に合わせるように構成された送受信機と、
プロセッサと、
を備え、該プロセッサは、
前記送受信機を前記マルチサービス・ネットワークに合わせる、
前記マルチサービス・ネットワークに登録する、
前記送受信機を前記ベストエフォート・キャリアに合わせる、
前記端末を前記ベストエフォート・ネットワークに登録する、
前記妨害を回避する機能が活性化したら、選択された着信通信に関し前記端末を呼び出すように、前記マルチサービス・ネットワークに対し指示する、
ように構成された無線通信用端末。
【請求項４９】
請求項４８記載の端末において、前記妨害を回避する機能が活性化されると、着信音声通信が音声メール・サービスに送られるように前記マルチサービス・ネットワークに対して指示するように前記プロセッサは更に構成された前記端末。
【請求項５０】
請求項４８記載の端末において、前記端末に宛てた着信音声通信が前記マルチサービス・ネットワークによって受信され、前記妨害を回避する機能が活性化されると、「応答しない端末」メッセージを戻すようにマルチサービス・ネットワークに対し指示するように前記プロセッサは更に構成された前記端末。
【請求項５１】
請求項４８記載の端末において、前記妨害を回避するモード非活性化されると、前記送受信機を前記マルチサービス・キャリアに合わせ、全ての着信通信の通知は前記端末に送信されるように、前記マルチサービス・ネットワークに対して指示するように前記プロセッサは更に構成された前記端末。
【請求項５２】
請求項４８記載の端末において、前記妨害を回避するモードが活性化中に、前記送受信機を前記マルチサービス・キャリアに定期的に合わせ、着信データ通信をチェックするように前記プロセッサは更に構成された前記端末。
【請求項５３】
請求項５２記載の端末において、着信データ通信がある場合、これを取り込み、次に前記データ通信を取り込んだ後再びベストエフォート・キャリアに合わせるように、前記プロセッサは更に構成された前記端末。
【請求項５４】
請求項４８記載の端末において、前記選択された着信通信は着信音声通信である前記端末。
【請求項５５】
請求項４８記載の端末において、前記選択された着信通信は着信データ通信である前記端末。
【請求項５６】
請求項４８記載の端末において、前記選択された着信通信はＳＭＳメッセージである前記端末。
【請求項５７】
請求項４８記載の端末において、前記プロセッサは前記ベストエフォート・ネットワーク上でデータ通信を開始するように更に構成された前記端末。
【請求項５８】
請求項５７記載の端末において、前記データ通信はパケット・データ通信である前記端末。
【請求項５９】
請求項５８記載の端末において、前記パケット・データ通信はＩＰ通信上の音声を含む前記端末。
【請求項６０】
請求項５７記載の端末であって、前記プロセッサが前記ベストエフォート・キャリア上でデータ・通信を開始する度に、妨害を回避する機能を自動的に活性化するように構成された前記端末。
【請求項６１】
請求項４８記載の端末であって、前記ベストエフォート・ネットワークに登録すると前記妨害を回避する機能を自動的に活性化するよう構成された前記端末。
【請求項６２】
請求項４８記載の端末であって、ユーザの入力に応答して前記妨害を回避するモードを活性化するように構成された前記端末。
【請求項６３】
請求項６２記載の無線ネットワークにおいて、前記ユーザの入力は、ソフト・キー、専用キー、又は音声コマンドから実行可能である前記無線通信ネットワーク。
【請求項６４】
無線通信用端末であって、
活性化および非活性化されるように構成された妨害を回避する機能と、
マルチサービス・ネットワークのキャリア又はベストエフォート・ネットワークのキャリアに選択的に合わせるように構成された送受信機と、
プロセッサと、
を備え、該プロセッサは、
前記送受信機を前記マルチサービス・ネットワークに合わせる、
前記マルチサービス・ネットワークに登録する、
前記送受信機をベストエフォート・キャリアに合わせる、
前記端末を前記ベストエフォート・ネットワークに登録する、
前記妨害を回避する機能が活性化されたら、全ての着信通信に関し前記端末を呼び出さないように前記マルチサービス・ネットワークに指示する、
ように構成された前記端末。
【請求項６５】
請求項６４記載の端末において、前記着信通信が音声通信又はデータ通信を含む前記端末。
【請求項６６】
請求項６４記載の端末において、前記妨害を回避する機能が活性化されると、着信音声通信は音声メール・サービスに送信されるように前記マルチサービス・ネットワークに指示を出すように、前記プロセッサ更に構成された前記端末。
【請求項６７】
請求項６４記載の端末において、前記プロセッサがベストエフォート・キャリア上でデータ通信を開始する前に、前記プロセッサは前記妨害を回避する機能を自動的に活性化するように構成された前記端末。
【請求項６８】
ベストエフォート・ネットワークのキャリア又はマルチサービス・ネットワークのキャリアに合わせるように構成された端末を採用した無線通信の方法であって、該方法は、
前記端末を前記マルチサービス・ネットワークに登録するステップと、
前記端末を前記ベストエフォート・ネットワークに登録するステップと、
前記端末を前記ベストエフォート・キャリアに合わせるステップと、
前記端末にかかわる妨害を回避する機能を活性化するステップと、
前記妨害を回避する機能の活性化に応答して、全ての着信通信に関し前記端末を呼び出さないように前記マルチサービス・ネットワークに指示するステップと、
からなる前記方法。
【請求項６９】
請求項６８記載の端末は更に、
前記妨害を回避する機能を非活性化させるステップと、
前記妨害を回避する機能の非活性化に応答して、前記端末を前記マルチサービス・キャリアに合わせるステップと、
全ての着信通信に関し、前記端末を呼び出すよう前記マルチサービス・ネットワークに指示するステップと、
からなる前記端末。
【請求項７０】
請求項６８記載の端末は更に、前記ベストエフォート・キャリア上でデータ通信を開始するステップを含み、前記データ通信が開始されると前記妨害を回避する機能を活性化するステップが自動的に実行される前記方法。
【手続補正２】
【補正対象書類名】明細書
【補正対象項目名】００３６
【補正方法】変更
【補正の内容】
【００３６】
進行中のパケット・データ通信がある場合、かかるパケット・データ通信は保留されるか、又は中断される。何故なら上述のように端末はマルチサービス・ネットワーク１０１に合わされるからである。更に、それはまた結果的に、頻繁な、しかし不要な回線交換ネットワーク上での登録と、回線交換ネットワーク上での呼び出しチャネルのポーリングと、を行うことになる。それらは全て不要な信号を混入させる。そのような不要な信号が削減又は排除されると、マルチサービス・ネットワーク１０１、ベストエフォート・ネットワーク、又はそのあらゆる組み合わせのメッセージ・オーバーヘッドは低減され、更にユーザ端末のバッテリは長寿命化される。


【手続補正３】
【補正対象書類名】明細書
【補正対象項目名】００３８
【補正方法】変更
【補正の内容】
【００３８】
これの場合のすべてにおいて、マルチサービス・ネットワーク１０１が着信音声通信のネットワークの受信に関して端末を呼び出そうとしないように、ネットワークは更新されるか又は指示を受ける。即ち、ネットワーク１０１は、端末があらゆる着信音声通信に関し呼び出されることを望む場合にのみ端末を呼び出す。従って、ユーザの端末のバッテリ寿命は改善される。何故なら、このネットワーク１０１は、そうすることが必要である時に端末を呼び出すだけだからである。




【国際調査報告】
2004515985.tif 000044
2004515985.tif 000045
2004515985.tif 000046